(57)【要約】【課題】所望の良好な美容効果を得ることができる美容器具を提供する。【解決手段】把持部２０、把持部２０に設けられるとともに肌１００に押圧されて肌１００の上で転動可能に形成された転動体３０を備える美容器具１０において、転動体３０は、把持部２０の先端２２において転動可能に軸支された第１転動体３１、第１転動体３１と対称位置に設けられるとともに把持部２０の先端２２において転動可能に軸支された第２転動体３２を備える。第１転動体３１と第２転動体３２とが肌１００に押圧接触せしめられることで、第１転動体３１と第２転動体３２との協働によって肌１００が挟持保持される。【選択図】図１
2014087412.tif 000002
【特許請求の範囲】
【請求項１】
把持部、及び該把持部に設けられるとともに肌に押圧されて肌の上で転動可能に形成された転動体を備える美容器具において、
前記転動体は、
前記把持部の先端側において転動可能に軸支された第１転動体と、
該第１転動体と対称位置に設けられるとともに前記把持部の先端側において転動可能に軸支された第２転動体と、を備え、
前記第１転動体と第２転動体とが肌に押圧接触せしめられて該第１転動体と第２転動体との協働によって肌が挟持保持されることを特徴とする美容器具。
【請求項２】
前記第１転動体及び第２転動体は、
前記把持部の中心線と直交する水平線に対して上方に傾斜して形成されるとともに、肌に押圧される方向に向かって前記把持部の中心線に対して傾斜して形成され、
前記第１転動体は、
軸中心が、前記把持部の中心線から一方向に変位して形成され、
前記第２転動体は、
軸中心が、前記第１転動体が変位する一方向と反対の方向となる他方向に向かって前記把持部の中心線から変位して形成され、
前記第１転動体の転動軸と前記第２転動体の転動軸とのなす角度が、肌を挟持保持可能な角度に設定されていることを特徴とする請求項１に記載の美容器具。
【請求項３】
前記把持部は、
太陽光の照射量に応じて直流電圧を発電する太陽光発電パネルを備え、
該太陽光発電パネルで発電された電力に基づいて前記第１転動体及び第２転動体に微弱電流を供給することを特徴とする請求項１または２に記載の美容器具。
【請求項４】
前記第１転動体及び第２転動体は、
導電性金属材料でメッキ加工されたことを特徴とする請求項１〜３のいずれか１項に記載の美容器具。
【発明の詳細な説明】
【技術分野】
【０００１】
本発明は、美容器具、特に、肌の上で転動する転動体を備え、この転動体によって肌に刺激を与える美容器具に関する。
【背景技術】
【０００２】
一般に、肌に刺激を与えるとリンパの流れや血行が促進され、このリンパの流れや血行の促進によって、いわゆる肌のハリや弛み等が緩和されるといった美容上の効果を得られることが知られている。このような美容効果を得るための器具が、種々存在している。
【０００３】
特許文献１には、ハンドル及びハンドルに回転可能に軸支されたローラを備え、このローラによって肌に刺激を与える美容器具が開示されている。特許文献１の美容器具は、ハンドルがその先端部において二股に分岐した正面視略Ｙ字形に形成され、この二股に分岐した先端部のそれぞれにローラが回転自在に軸支されている。
【０００４】
すなわち、各ローラは互いに離間する方向に沿って配置されており、任意の転動動作によって、肌の広範囲に亘ってローラを転動させることが可能となる。これにより、ハンドルを把持してローラを肌に押圧接触させつつ、ローラを肌の上で転動させることによって、肌に刺激が与えられてリンパの流れや血行が促進される。
【先行技術文献】
【特許文献】
【０００５】
【特許文献１】特開２０１１−０１５８７４号公報
【発明の概要】
【発明が解決しようとする課題】
【０００６】
上記特許文献１の美容器具によると、各ローラが互いに離間する方向に沿って配置されていることから、任意の転動動作によって、肌の広範囲に亘ってローラを転動させることが可能となる。
【０００７】
しかし、生活習慣の変化や美意識の向上に伴って、リンパの流れや血行の促進による美容効果の更なる向上が要求されている近年の状況に鑑みれば、上記特許文献１のように、任意の転動動作による肌の広範囲に亘ったローラの転動が可能であっても、肌に刺激を与える範囲が拡大されるのみであって、美容効果を更に向上させる観点からの要求に応えることはできないことが考えられる。従って、特許文献１の美容器具によると、所望の美容効果が得られないことが考えられる。
【０００８】
本発明は、上記課題に鑑みてなされたものであり、その目的は、所望の良好な美容効果を得ることができる美容器具を提供することにある。
【課題を解決するための手段】
【０００９】
上記目的を達成するための請求項１に記載の発明は、把持部、及び該把持部に設けられるとともに肌に押圧されて肌の上で転動可能に形成された転動体を備える美容器具において、前記転動体は、前記把持部の先端側において転動可能に形成された第１転動体と、該第１転動体と対称位置に設けられるとともに前記把持部の先端側において転動可能に形成された第２転動体と、を備え、前記第１転動体と第２転動体とが肌に押圧接触せしめられて該第１転動体と第２転動体との協働によって肌が挟持保持されることを特徴とする。
【００１０】
この構成によれば、第１転動体と第２転動体とが互いに対称位置に設けられていることから、第１転動体及び第２転動体を肌の上で転動させると、第１転動体と第２転動体とが肌に押圧接触せしめられて、第１転動体と第２転動体との協働によって肌が挟持保持される。
【００１１】
第１転動体と第２転動体との協働によって肌が挟持保持されると、肌に良好な刺激が与えられてリンパの流れや血行が効果的に促進される。その結果、単に肌の上で転動体を転動させることと対比すれば、美容効果をより効果的に得ることができる。特に、例えば肌が顔の顎部分であれば、顎骨に沿って第１転動体と第２転動体とを転動させることによって、細部に亘って刺激を与えることができ、良好な美容効果を得ることができる。
【００１２】
しかも、互いに対称位置に設けられた第１転動体と第２転動体とによって、人の指で肌を挟持保持しながら刺激を与えることと同様の感覚及び美容効果を得ることができる。
【００１３】
さらに、第１転動体及び第２転動体が、互いに対称位置に設けられて互いに離間する方向に沿って配置されていることから、肌の広範囲に亘って第１転動体及び第２転動体を転動させることができる。
【００１４】
従って、第１転動体及び第２転動体を転動させることによって、肌に刺激を与える範囲が拡大されるとともに、第１転動体と第２転動体との協働によって肌の広範囲が挟持保持される。その結果、肌に良好な刺激が与えられてリンパの流れや血行が効果的に促進される。
【００１５】
請求項２に記載の発明は、請求項１に記載の美容器具において、前記第１転動体及び第２転動体は、前記把持部の中心線と直交する水平線に対して上方に傾斜して形成されるとともに、肌に押圧される方向に向かって前記把持部の中心線に対して傾斜して形成され、前記第１転動体は、軸中心が、前記把持部の中心線から一方向に変位して形成され、前記第２転動体は、軸中心が、前記第１転動体が変位する一方向と反対の方向となる他方向に向かって前記把持部の中心線から変位して形成され、前記第１転動体の転動軸と前記第２転動体の転動軸とのなす角度が、肌を挟持保持可能な角度に設定されていることを特徴とする。
【００１６】
この構成は、請求項１の第１転動体及び第２転動体の構成を具体的にしたものである。この構成によれば、第１転動体及び第２転動体は、把持部の中心線と直交する水平線に対して上方に傾斜し、かつ押圧方向に向かって把持部の中心線に対して傾斜して形成されていることから、第１転動体及び第２転動体を肌の上で転動させることによって、肌が押し上げられる。従って、肌が引きしめられて肌の弛みが緩和される。
【００１７】
しかも、第１転動体の軸心と第２転動体の軸心とのなす角度が、肌を挟持保持可能な角度に設定されていることから、第１転動体と第２転動体との協働によって肌を挟持保持しつつ肌を押し上げることができる。
【００１８】
請求項３に記載の発明は、請求項１または２に記載の美容器具において、前記把持部は、太陽光の照射量に応じて直流電圧を発電する太陽光発電パネルを備え、該太陽光発電パネルで発電された電力に基づいて前記第１転動体及び第２転動体に微弱電流を供給することを特徴とする。
【００１９】
この構成によれば、把持部に太陽光発電パネルが形成されていることから、第１転動体及び第２転動体に微弱電流を供給して、肌に微弱電流を流すことができる。これにより、第１転動体及び第２転動体の肌の上での転動による肌への刺激の付与と相俟って、肌に得良好な刺激を与えることができ、リンパの流れや血行の促進効果が高められて美容効果の向上を図ることができる。
【００２０】
請求項４に記載の発明は、請求項１〜３のいずれか１項に記載の美容器具において、前記第１転動体及び第２転動体は、導電性金属材料でメッキ加工されたことを特徴とする。
【００２１】
この構成によれば、第１転動体及び第２転動体が導電性金属材料でメッキ加工されており、例えば、導電性金属材料が金属アレルギーを生じにくいプラチナであれば、美容器具により肌へ刺激を付与することによる金属アレルギーの発症を抑制することができる。
【００２２】
しかも、太陽光発電パネルで発電された電力に基づいて、第１転動体及び第２転動体に微弱電流を供給する構成を簡易に構築することができる。
【発明の効果】
【００２３】
この発明によれば、第１転動体と第２転動体とが互いに対称位置に設けられていることから、第１転動体及び第２転動体を肌の上で転動させると、第１転動体と第２転動体とが肌に押圧接触せしめられて、第１転動体と第２転動体との協働によって肌が挟持保持される。
【００２４】
これにより、人の指で肌を挟持保持しながら刺激を与えることと同様の感覚を得ることができ、かつ肌に良好な刺激が与えられてリンパの流れや血行が効果的に促進される。その結果、単に肌の上で転動体を転動させることと対比すれば、美容効果をより効果的に得ることができる。
【００２５】
さらに、第１転動体及び第２転動体が、互いに対称位置に設けられて互いに離間する方向に沿って配置されていることから、肌の広範囲に亘って第１転動体及び第２転動体を転動させることができる。
【００２６】
従って、第１転動体及び第２転動体を転動させることによって、肌に刺激を与える範囲が拡大されるとともに、第１転動体と第２転動体との協働によって肌の広範囲が挟持保持される。
【００２７】
その結果、肌に良好な刺激が与えられてリンパの流れや血行が効果的に促進されて、従来の同様の美容器具に比べて良好な美容効果を得ることができ、近年における美容効果の向上の要求にも応えることができる。
【図面の簡単な説明】
【００２８】
【図１】本発明の実施の形態に係る美容器具の概略を説明する正面図である。
【図２】同じく、本実施の形態に係る美容器具の概略を説明する背面図である。
【図３】図１のＡ矢視図である。
【図４】図１のＢ矢視図である。
【図５】本実施の形態に係る美容器具の作用を説明する図である。
【発明を実施するための形態】
【００２９】
次に、本発明の実施の形態について、図１〜図４に基づいて説明する。
【００３０】
図１は、本発明の実施の形態に係る美容器具の概略を説明する正面図であり、図２は、美容器具の概略を説明する背面図、図３は、図１のＡ矢視図、図４は、図１のＢ矢視図である。図示のように、美容器具１０は、把持部２０及び転動体３０を主要構成として備える。
【００３１】
転動体３０は、肌に押圧されて肌の上で転動可能に形成されている。この転動体３０は、把持部２０の先端側において転動可能に軸支された第１転動体３１、及び第１転動体３１と対称位置に設けられるとともに把持部２０の先端側において転動可能に軸支された第２転動体３２によって構成される。
【００３２】
第１転動体３１及び第２転動体３２には、複数の突条３３が螺旋状に形成されている。この第１転動体３１及び第２転動体３２の外表面は、導電性金属材料、本実施の形態ではプラチナでメッキ加工されている。
【００３３】
本実施の形態に係る美容器具１０は、これら第１転動体３１と第２転動体３２とが肌に押圧接触せしめられて第１転動体３１と第２転動体３２との協働によって肌が挟持保持されるように形成されている。
【００３４】
次に、本実施の形態に係る美容器具１０の各部の具体的構成について説明する。
【００３５】
把持部２０は、基端２１及び先端２２を有して中心線Ｌに沿った略円柱状に形成される。把持部２０の先端２２には、第１転動体３１及び第２転動体３２を支持する支持部２３が設けられている。
【００３６】
把持部２０の背面側であって把持部２０の上部には、太陽光発電パネル２４が形成されている。太陽光発電パネル２４は、太陽電池モジュールによって構成されたパネルであり、太陽光の照射量に応じて直流電圧を発電する。
【００３７】
この太陽光発電パネル２４によって発電された直流電圧に基づいて、第１転動体３１及び第２転動体３２に微弱電流を供給するように構成されている。本実施の形態では、太陽光発電パネル２４によっておよそ３Ｖの直流電圧が発電され、およそ０．２ｍＡの微弱電流が第１転動体３１及び第２転動体３２に供給される。
【００３８】
第１転動体３１は、把持部２０の先端２２の支持部２３に設けられた軸部３１ａに軸支されており、軸心ｘを軸中心として転動可能に形成されている。一方、第２転動体３２は、第１転動体３１と対称位置において、把持部２０の先端２２の支持部２３に設けられた軸部３２ａに軸支されており、軸心ｙを軸中心として転動可能に形成されている。
【００３９】
これら第１転動体３１及び第２転動体３２は、把持部２０の中心線Ｃと直交する水平線Ｈに対して上方に傾斜して、水平線Ｈと軸心ｘとのなす所定の角度α、及び水平線Ｈと軸心ｙとのなす所定の角度αを有して正面視略Ｙ字状に形成されている。
【００４０】
さらに、第１転動体３１及び第２転動体３２は、図３で示すように、矢線Ｐで示す肌に押圧される押圧方向に向かって、把持部２０の中心線Ｌに対して傾斜して形成されており、把持部２０の中心線Ｌと軸心ｙ（ｘ）とのなす所定の角度βを有して形成されている。角度βは、本実施の形態では３３°に設定されている。
【００４１】
第1転動体３１は、その軸中心ｘが把持部２０の中心線Ｌから一方向に変位して形成されている。一方、第２転動体３２は、その軸中心ｙが、第１転動体３１が変位する一方向と反対の方向となる他方向に向かって把持部２０の中心線Ｌから変位して形成されている。
【００４２】
具体的には、図４で示すように、第１転動体３１の軸心ｘと第２転動体３２の軸心ｙとのなす所定の角度、すなわち第１転動体３１と第２転動体３２とが押圧方向Ｐに向かって開いた開き角度γを有するように、上面視略Ｖ字状に形成されている。この開き角度γは、肌を挟持保持可能な角度に設定されており、本実施の形態では１１５°に設定されている。
【００４３】
次に、本実施の形態に係る美容器具１０の使用方法について説明する。
【００４４】
図５は、本実施の形態に係る美容器具１０を肌１００に押圧した状態の概略を説明する図である。図示のように、まず、美容器具１０の把持部２０を把持して押圧方向Ｐに向かって移動させ、転動体３０を構成する第１転動体３１及び第２転動体３２を肌１００に押圧させる。
【００４５】
次に、第１転動体３１及び第２転動体３２を肌１００に押圧しながら、把持部２０を任意に往復移動させて、第１転動体３１及び第２転動体３２を肌１００の上で転動させる。
【００４６】
第１転動体３１及び第２転動体３２は、互いに対称位置に設けられて第１転動体３１と第２転動体３２とが押圧方向Ｐに向かって開いた開き角度γ（１１５°）を有するように形成されていることから、第１転動体３１及び第２転動体３２を肌１００の上で転動させると、第１転動体３１と第２転動体３２とが肌１００に押圧接触せしめられて、第１転動体３１と第２転動体３２との協働によって肌１００が挟持保持される。
【００４７】
このように、肌１００が第１転動体３１と第２転動体３２との協働によって挟持保持されることによって、肌１００に良好な刺激が与えられてリンパの流れや血行が効果的に促進される。その結果、単に肌の上で転動体を転動させることと対比すれば、美容効果をより効果的に得ることができる。
【００４８】
特に、例えば肌１００が顔の顎部分であれば、顎骨に沿って第１転動体３１と第２転動体３２とを転動させることによって、細部に亘って刺激を与えることができ、良好な美容効果を得ることができる。
【００４９】
しかも、第１転動体３１と第２転動体３２との開き角度γ（１１５°）によって、人の指で肌を挟持保持しながら刺激を与えることと同様の感覚及び美容効果を得ることができる。
【００５０】
第１転動体３１及び第２転動体３２は、互いに対称位置に設けられて開き角度γ（１１５°）を有して形成されている、すなわち、第１転動体３１と第２転動体３２とが互いに離間する方向に沿って配置されていることから、肌１００の広範囲に亘って第１転動体３１及び第２転動体３２を転動させることができる。
【００５１】
従って、第１転動体３１及び第２転動体３２を転動させることによって、肌１００に刺激を与える範囲が拡大されるとともに、第１転動体３１と第２転動体３２との協働によって肌１００の広範囲が挟持保持される。その結果、肌１００に良好な刺激が与えられてリンパの流れや血行が効果的に促進される。
【００５２】
さらに、第１転動体３１及び第２転動体３２は、把持部２０の中心線Ｌと直交する水平線Ｈに対して上方に傾斜し、かつ押圧方向Ｐに向かって把持部２０の中心線Ｌに対して傾斜して形成されていることから、第１転動体３１及び第２転動体３２を肌１００の上で転動させることによって、肌１００が押し上げられる。従って、肌１００が引きしめられて肌１００の弛みが緩和される。
【００５３】
美容器具１０は、把持部２０に太陽光発電パネル２４が形成されていることから、第１転動体３１及び第２転動体３２に微弱電流を供給して、肌１００に微弱電流を流すことができる。
【００５４】
これにより、第１転動体３１及び第２転動体３２の肌１００の上での転動による肌１００への刺激の付与と相俟って、肌１００に良好な刺激を与えることができ、リンパの流れや血行の促進効果が高められて美容効果の向上を図ることができる。
【００５５】
しかも、第１転動体３１及び第２転動体３２は、本実施の形態ではその外表面が、金属アレルギーを生じにくいプラチナでメッキ加工されていることから、美容器具１０により肌１００へ刺激を付与することによる金属アレルギーの発症を抑制することができる。
【００５６】
このように、本実施の形態の美容器具１０によると、従来の同様の美容器具に比べて良好な美容効果を得ることができ、近年における美容効果の向上の要求にも応えることができる。
【００５７】
なお、本発明は上記実施の形態に限定されることはなく、発明の趣旨を逸脱しない範囲で種々変更可能である。上記実施の形態では、第１転動体３１における水平線Ｈと軸心ｘとのなす所定の角度、及び第２転動体３２における水平線Ｈと軸心ｙとのなす所定の角度がαに設定されている場合を例として説明したが、第１転動体３１と第２転動体３２との協働によって肌１００が挟持保持されて肌１００が押し上げられる角度であれば、任意の角度に設定可能である。
【００５８】
上記実施の形態では、第１転動体３１及び第２転動体３２が、押圧方向Ｐに向かって、把持部２０の中心線Ｌに対して傾斜して形成されて把持部２０の中心線Ｌと軸心ｙ（ｘ）とのなす所定の角度βが３３°に設定されている場合を例として説明したが、上記と同様に、第１転動体３１と第２転動体３２との協働によって肌１００が挟持保持されて肌１００が押し上げられる角度であれば、任意の角度に設定可能である。
【符号の説明】
【００５９】
１０    美容器具
２０    把持部
２２    先端
２４    太陽光発電パネル２４
３０    転動体
３１    第１転動体
３１ａ    軸部
３２    第２転動体
３２ａ    軸部
Ｌ    中心線
Ｐ    押圧方向
ｘ    軸心
ｙ    軸心
α    角度
β    角度
γ    開き角度
【図１】
2014087412.tif 000003
【図２】
2014087412.tif 000004
【図３】
2014087412.tif 000005
【図４】
2014087412.tif 000006
【図５】
2014087412.tif 000007